(57)【要約】【課題】ユーザによるポータルサイトのアドレス入力や選択の手間を省き、携帯型端末への負担を軽減しながら、管理サーバから放送受信端末が設置されている地域のポータルサイトのアドレスを入手可能な携帯型端末、放送受信端末等を提供する。【解決手段】情報通信端末は、識別子および管理サーバのアドレスの送信を要求する第一送信要求を生成し、所定のポータルサイトのアドレスの送信を要求する第二送信要求を生成する処理部と、通信部とを備えている。通信部は、放送受信端末に第一送信要求を送信した後、放送受信端末から識別子および管理サーバのアドレスを受信する。管理サーバは、放送受信端末を一意に識別する識別子と、所定のポータルサイトのアドレスとを対応付けた情報を保持している。通信部は、管理サーバに、第二送信要求および識別子を送信し、管理サーバから所定のポータルサイトのアドレスを受信する。【選択図】図５
2013034169.tif 000002
【特許請求の範囲】
【請求項１】
管理サーバおよび放送受信端末と通信可能に接続される情報通信端末であって、
前記放送受信端末は、前記放送受信端末を一意に識別する識別子、および前記管理サーバのアドレスを保持しており、
前記管理サーバは、前記識別子と、所定のポータルサイトのアドレスとを対応付けた情報を保持しており、
前記情報通信端末は、
前記識別子および前記管理サーバのアドレスの送信を要求する第一送信要求を生成し、前記所定のポータルサイトのアドレスの送信を要求する第二送信要求を生成する処理部と、
前記放送受信端末および前記管理サーバと通信する通信部と
を備えており、前記通信部は、前記放送受信端末に前記第一送信要求を送信した後、前記放送受信端末から前記識別子および前記管理サーバのアドレスを受信すると、前記管理サーバに、前記第二送信要求および前記識別子を送信し、前記管理サーバから前記所定のポータルサイトのアドレスを受信する、情報通信端末。
【請求項２】
受信した前記所定のポータルサイトのアドレスを格納する保持部をさらに備えた、請求項１に記載の情報通信端末。
【請求項３】
前記管理サーバから前記所定のポータルサイトのアドレスを受信した後、前記処理部は、前記通信部を介して前記所定のポータルサイトのアドレスを利用して前記所定のポータルサイトにアクセスする、請求項２に記載の情報通信端末。
【請求項４】
前記管理サーバは、前記識別子と、前記識別子によって特定される前記放送受信端末が設置された地域に関する所定のポータルサイトのアドレスとを対応付けた情報を保持しており、
前記通信部は、前記管理サーバから、前記放送受信端末が設置された地域に関するポータルサイトのアドレスを受信する、請求項３に記載の情報通信端末。
【請求項５】
前記処理部は、自装置が前記所定のポータルサイトにアクセスして動作する際に用いられる設定情報の送信を要求する設定情報送信要求をさらに生成し、
前記通信部は、前記管理サーバに前記第二送信要求および前記識別子を送信する際、さらに前記設定情報送信要求を送信し、前記管理サーバからさらに前記設定情報を受信する、請求項１に記載の情報通信端末。
【請求項６】
放送信号を受信し、かつ、管理サーバおよび情報通信端末と通信可能に接続される放送受信端末であって、
前記管理サーバは、前記放送受信端末を一意に特定する識別子と、所定のポータルサイトのアドレスとを対応付けた情報を保持しており、
前記情報通信端末は、所定の手順によって前記管理サーバのアドレスを取得して前記管理サーバにアクセスし、前記管理サーバから前記所定のポータルサイトのアドレスを取得することにより、前記所定のポータルサイトにアクセスすることが可能であり、
前記放送受信端末は、
前記識別子および前記管理サーバのアドレスを保持する保持部と、
前記情報通信端末から、前記識別子および前記管理サーバのアドレスの送信要求を受信する通信部と、
前記送信要求の受信に応答して、前記保持部から前記識別子および前記管理サーバのアドレスを読み出し、前記通信部を介して前記識別子および前記管理サーバのアドレスを送信する処理部と
を備えた、放送受信端末。
【請求項７】
情報通信端末に実装されるコンピュータによって実行されるコンピュータプログラムであって、
前記情報通信端末は、管理サーバおよび放送受信端末と通信可能に接続され、
前記放送受信端末は、前記放送受信端末を一意に識別する識別子、および前記管理サーバのアドレスを保持しており、
前記管理サーバは、前記識別子と、所定のポータルサイトのアドレスとを対応付けた情報を保持しており、
前記コンピュータプログラムは、前記情報通信端末に実装されるコンピュータに、
前記放送受信端末に、前記識別子および前記管理サーバのアドレスの送信を要求する第一送信要求を送信するステップと、
前記放送受信端末から前記識別子および前記管理サーバのアドレスを受信するステップと、
前記管理サーバに、前記所定のポータルサイトのアドレスの送信を要求する第二送信要求および前記識別子を送信するステップと、
管理サーバから前記所定のポータルサイトのアドレスを受信するステップと
を実行させる、コンピュータプログラム。
【発明の詳細な説明】
【技術分野】
【０００１】
本発明は、情報通信端末、放送受信端末および管理サーバが通信可能に接続されたシステムにおいて用いられる情報通信端末および放送受信端末に関する。より具体的には、本発明は、情報通信端末および放送受信端末が協働して、管理サーバが保持するポータルサイトのアドレスを取得する技術に関する。
【背景技術】
【０００２】
近年、ネットワークに接続するためのモデム、およびネットワーク上の情報を閲覧するためのブラウザが搭載されたデジタル放送受信端末が多く普及しつつある。デジタル放送受信端末とは、たとえばケーブルテレビを視聴するためのセットトップボックス（ＳＴＢ）である。ユーザは、ネットワークに接続されたそのようなデジタル放送受信端末を利用して、デジタル放送受信端末が設置された地域のポータルサイトにアクセスし、その地域に関連する種々のコンテンツやインタラクティブなアプリケーションサービスを利用することが可能になりつつある。
【０００３】
また、ＩＴ（Ｉｎｆｏｒｍａｔｉｏｎ  Ｔｅｃｈｎｏｌｏｇｙ；情報技術）の進歩により、高性能で携帯可能なタブレット型コンピュータ等の携帯型端末も普及しつつある。そのような携帯型端末は、たとえばＷｉＦｉ（ＩＥＥＥ  ８０２．１１シリーズ）等の高速なネットワークでインターネットに接続することが可能である。ユーザは携帯型端末を利用し、種々のコンテンツやインタラクティブなアプリケーションサービスを享受することが一般化しつつある。
【０００４】
また、ネットワークに接続されたクライアント端末からユーザが各種サービスを利用する場合に、適切なサービス制御を行うしくみも種々開発されている。たとえば特許文献１は、利用者ＩＤ（Ｉｄｅｎｔｉｆｉｃａｔｉｏｎ  Ｄａｔａ；識別情報）に基づき、ディレクトリサーバでアクセス制御を行う方法を提案している。
【先行技術文献】
【特許文献】
【０００５】
【特許文献１】特開２００３−２７１５５５号公報
【発明の概要】
【発明が解決しようとする課題】
【０００６】
ところで、ユーザが携帯型端末を用いて、放送受信端末が設置されている地域のポータルサイトに接続する場合、ユーザは接続先のＵＲＬ（Ｕｎｉｆｏｒｍ  Ｒｅｓｏｕｒｃｅ  Ｌｏｃａｔｏｒ）をブラウザに直接入力することが必要な場合がある。しかしながら、ＵＲＬをブラウザに直接入力する作業は、ユーザにとって非常に面倒である。また、入力されたＵＲＬが一文字でも誤っていた場合、正常なアクセスができず、再度入力内容を確認し、ＵＲＬを訂正する必要がある。この作業もまた、煩雑である。
【０００７】
特許文献１に記載のように、ユーザが携帯型端末の利用者ＩＤを利用し、事前に携帯型端末の利用者ＩＤと関連付けたポータルサイトのＵＲＬを、放送サービスを提供する管理サーバに登録することも考えられる。しかしながら、この技術は、ユーザが放送サービスを受けている放送受信端末の設置地域のポータルサイトを適切に選択して登録する必要がある。そのような登録作業をユーザが実施するにしても、または管理サーバを管理する地域の放送サービスの提供者が実施するにしても、手間がかかる。
【０００８】
別の方法として、接続先のＩＰ（Ｉｎｔｅｒｎｅｔ  Ｐｒｏｔｏｃｏｌ）アドレスを携帯型端末にあらかじめ登録しておくことも考えられる。しかしながら、ＩＰアドレスの情報を保持している放送局を経由することなく、ユーザが市販の携帯型機器を購入する場合、市販の携帯型機器にＩＰアドレスを事前に登録することは事実上困難である。仮に、市販の携帯型機器にＩＰアドレスを事前に登録することができたとしても、放送局毎や同じ放送局であっても地域毎にポータルサイトのＵＲＬが異なる放送サービスにおいては膨大な数のＩＰアドレスを携帯型端末に記憶させる必要がある。これでは、携帯型端末の製造業者への負担が増し、また、携帯型端末の記憶容量が圧迫される。さらにユーザも、登録された膨大なＩＰアドレスの中から地域のポータルサイトのＵＲＬを選択するという作業を行う必要がある。
【０００９】
本発明は上記課題を解決するためになされたものであって、その目的は、ユーザによるポータルサイトのアドレス入力や選択の手間を省くとともに、携帯型端末への負担を軽減しながら、管理サーバから放送受信端末が設置されている地域のポータルサイトのアドレスを入手可能な携帯型端末、放送受信端末等を提供することにある。
【課題を解決するための手段】
【００１０】
本発明の一実施形態にかかる情報通信端末は、管理サーバおよび放送受信端末と通信可能に接続される情報通信端末であって、前記放送受信端末は、前記放送受信端末を一意に識別する識別子、および前記管理サーバのアドレスを保持しており、前記管理サーバは、前記識別子と、所定のポータルサイトのアドレスとを対応付けた情報を保持しており、前記情報通信端末は、前記識別子および前記管理サーバのアドレスの送信を要求する第一送信要求を生成し、前記所定のポータルサイトのアドレスの送信を要求する第二送信要求を生成する処理部と、前記放送受信端末および前記管理サーバと通信する通信部とを備え、前記通信部は、前記放送受信端末に前記第一送信要求を送信した後、前記放送受信端末から前記識別子および前記管理サーバのアドレスを受信すると、前記管理サーバに、前記第二送信要求および前記識別子を送信し、前記管理サーバから前記所定のポータルサイトのアドレスを受信する。
【００１１】
ある好ましい実施形態において、前記情報通信端末は、受信した前記所定のポータルサイトのアドレスを格納する保持部をさらに備えている。
【００１２】
ある好ましい実施形態において、前記管理サーバから前記所定のポータルサイトのアドレスを受信した後、前記処理部は、前記通信部を介して前記所定のポータルサイトのアドレスを利用して前記所定のポータルサイトにアクセスする。
【００１３】
ある好ましい実施形態において、前記管理サーバは、前記識別子と、前記識別子によって特定される前記放送受信端末が設置された地域に関する所定のポータルサイトのアドレスとを対応付けた情報を保持しており、前記通信部は、前記管理サーバから、前記放送受信端末が設置された地域に関するポータルサイトのアドレスを受信する。
【００１４】
ある好ましい実施形態において、前記処理部は、自装置が前記所定のポータルサイトにアクセスして動作する際に用いられる設定情報の送信を要求する設定情報送信要求をさらに生成し、前記通信部は、前記管理サーバに前記第二送信要求および前記識別子を送信する際、さらに前記設定情報送信要求を送信し、前記管理サーバからさらに前記設定情報を受信する。
【００１５】
本発明の一実施形態にかかる放送受信端末は、放送信号を受信し、かつ、管理サーバおよび情報通信端末と通信可能に接続される放送受信端末であって、前記管理サーバは、前記放送受信端末を一意に特定する識別子と、所定のポータルサイトのアドレスとを対応付けた情報を保持しており、前記情報通信端末は、所定の手順によって前記管理サーバのアドレスを取得して前記管理サーバにアクセスし、前記管理サーバから前記所定のポータルサイトのアドレスを取得することにより、前記所定のポータルサイトにアクセスすることが可能であり、前記放送受信端末は、前記識別子および前記管理サーバのアドレスを保持する保持部と、前記情報通信端末から、前記識別子および前記管理サーバのアドレスの送信要求を受信する通信部と、前記送信要求の受信に応答して、前記保持部から前記識別子および前記管理サーバのアドレスを読み出し、前記通信部を介して前記識別子および前記管理サーバのアドレスを送信する処理部とを備えている。
【００１６】
本発明の一実施形態にかかるコンピュータプログラムは、情報通信端末に実装されるコンピュータによって実行されるコンピュータプログラムであって、前記情報通信端末は、管理サーバおよび放送受信端末と通信可能に接続され、前記放送受信端末は、前記放送受信端末を一意に識別する識別子、および前記管理サーバのアドレスを保持しており、前記管理サーバは、前記識別子と、所定のポータルサイトのアドレスとを対応付けた情報を保持しており、前記コンピュータプログラムは、前記情報通信端末に実装されるコンピュータに、前記放送受信端末に、前記識別子および前記管理サーバのアドレスの送信を要求する第一送信要求を送信するステップと、前記放送受信端末から前記識別子および前記管理サーバのアドレスを受信するステップと、前記管理サーバに、前記所定のポータルサイトのアドレスの送信を要求する第二送信要求および前記識別子を送信するステップと、管理サーバから前記所定のポータルサイトのアドレスを受信するステップとを実行させる。
【発明の効果】
【００１７】
本発明のある実施形態によれば、情報通信端末の処理部は、識別子および管理サーバのアドレスの送信を要求する第一送信要求を生成し、所定のポータルサイトのアドレスの送信を要求する第二送信要求を生成し、通信部は、放送受信端末および管理サーバと通信する。通信部は、放送受信端末に第一送信要求を送信した後、放送受信端末から識別子および管理サーバのアドレスを受信すると、管理サーバに、第二送信要求および識別子を送信し、管理サーバから所定のポータルサイトのアドレスを受信する。これにより、ユーザによるポータルサイトのアドレス入力や選択の手間を省くとともに、携帯型端末への負担を軽減しながら、放送受信端末が設置された地域のポータルサイトにアクセスすることが可能となる。
【図面の簡単な説明】
【００１８】
【図１】本発明の実施例１に係る双方向の放送サービスのシステムの構成を示す図である。
【図２】本発明の実施例１に係る放送受信端末の構成を示すブロック図である。
【図３】本発明の実施例１に係る携帯型端末の構成を示すブロック図である。
【図４】放送受信端末１００および携帯型端末１２０に共通するハードウェア構成図である。
【図５】本発明の実施例１に係る管理サーバが保持するデータの構成を示す図である。
【図６】本発明の実施例１に係る携帯型端末によるアクセス先取得処理を示すフローチャートである。
【図７】本発明の実施例１に係る放送受信端末によるアクセス先取得応答処理を示すフローチャートである。
【図８】本発明の実施例１に係る管理サーバによるアクセス先取得応答処理を示すフローチャートである。
【図９】本発明の実施例２に係る管理サーバが保持するデータの構成を示す図である。
【図１０】本発明の実施例２に係る携帯型端末によるアクセス先取得処理を示すフローチャートである。
【図１１】本発明の実施例２に係る管理サーバによるアクセス先取得応答処理を示すフローチャートである。
【発明を実施するための形態】
【００１９】
以下、添付の図面を参照しながら、本発明による情報通信端末および放送受信端末の実施形態を説明する。
【００２０】
（実施形態１）
図１は、本実施形態に係る双方向の放送サービスシステム１の構成を示す。
【００２１】
放送サービスシステム１は、放送受信端末１００と、ＴＶモニタ１１０と、携帯型端末１２０と、放送設備１３０と、伝送路１５０と、管理サーバ１６０とを備えている。図１には、さらにインターネット１７０と、無線アクセスポイント１８０、１８１と、ポータルサイト１９０、１９１とが示されている。本実施形態の放送サービスシステム１はこれらを含むとするが、これらは必ずしも放送サービスシステム１に含まれなくてもよい。  放送受信端末１００およびＴＶモニタ１１０は、破線で示すユーザ宅に設置される。放送受信端末１００は、放送設備１３０から伝送路１５０経由で放送信号を受信する。放送受信端末１００は放送信号を処理し、ＴＶモニタ１１０に映す。これによりユーザは放送を視聴することができる。
【００２２】
また、放送受信端末１００は、内蔵モデムまたは外付けモデムを利用し、伝送路１５０経由でインターネット１７０に接続し、種々のポータルサイト（ポータルサイト１９０、ポータルサイト１９１、・・・）にアクセスすることができる。
【００２３】
携帯型端末１２０は、例えば、汎用のタブレット型コンピュータ、携帯電話やスマートフォン等の携帯可能な情報通信端末、情報表示端末である。なお、本明細書では「携帯型」と記述しているが、携帯可能であることは必須ではない。一般に情報通信端末であれば十分である。
【００２４】
携帯型端末１２０は、放送受信端末１００と連携することにより、放送受信端末１００が設置された地域に関するポータルサイトにアクセスすることができる。
【００２５】
具体的には、携帯型端末１２０は、ユーザ指示に基づき、放送受信端末１００にアクセスする。このとき、携帯型端末１２０は、Ｗｉ−Ｆｉ等の無線アクセスポイント（アクセスポイント１８０、アクセスポイント１８１、・・・）、およびインターネット１７０経由で放送受信端末１００にアクセスしても良いし、放送受信端末１００に無線モデムを接続してユーザ宅内などのローカルな環境で放送受信端末１００にアクセスしても良い。携帯型端末１２０は、ＵＰｎＰ（Ｕｎｉｖｅｒｓａｌ  Ｐｌｕｇ  ａｎｄ  Ｐｌａｙ）のような自動接続技術を使用して放送受信端末１００にアクセスしても良いし、放送受信端末１００のＩＰアドレスを取得して放送受信端末１００にアクセスしても良い。
【００２６】
以下では、携帯型端末１２０はユーザ宅内などのローカルな環境で放送受信端末１００にアクセスするとして説明する。しかしながら携帯型端末１２０は、ユーザ宅外において上述のＷｉ−Ｆｉ等の無線アクセスポイントを利用して、放送受信端末１００にアクセスしてもよい。以下では特にＷｉ−Ｆｉ等の無線アクセスポイントについての言及は省略する。
【００２７】
携帯型端末１２０からのアクセス要求を受けて、放送受信端末１００は、放送受信端末１００が有する一意の識別子と管理サーバ１６０のアドレス（以下、「ＵＲＬ」（Uniform Resource Locator）と記述する。）を携帯型端末１２０に送信する。携帯型端末１２０は識別子と管理サーバ１６０のＵＲＬとを受け取る。携帯型端末１２０は、放送受信端末１００から受け取った管理サーバ１６０のＵＲＬと放送受信端末１００が有する一意の識別子を用いて管理サーバ１６０にアクセスする。管理サーバ１６０は、放送受信端末１００の識別子と、放送受信端末１００が設置された地域に関するポータルサイトのＵＲＬとを対応付けて保持している。管理サーバ１６０は、携帯型端末１２０から受け取った放送受信端末１００の識別子に基づいて、その識別子に対応するポータルサイトのＵＲＬを携帯型端末１２０に送信する。携帯型端末１２０は、管理サーバ１６０からポータルサイトのＵＲＬを受け取る。これにより、携帯型端末１２０はポータルサイトにアクセスすることができる。
【００２８】
図２は、本実施形態に係る放送受信端末１００の構成を示すブロック図である。
【００２９】
放送受信端末１００は、信号処理部１０１、表示制御部１０２、通信部１０３、処理部１０４、保持部１０５および受信部１０６を備えている。
【００３０】
信号処理部１０１は、伝送路１５０から受信した映像信号に公知の信号処理を行い、処理を行った映像信号を表示制御部１０２に送る。
【００３１】
表示制御部１０２は、信号処理部１０１から受け取った映像信号の表示制御を行い、ＴＶモニタ１１０に映像を表示させる。
【００３２】
受信部１０６は、ユーザのリモコン１０７の操作に基づくリモコン信号を受信し、受信したリモコン信号を処理部１０４に送る。
【００３３】
通信部１０３は、処理部１０４からの指示に基づき、リモコン信号の放送設備１３０への送信や、ポータルサイトからのコンテンツの受信等の通信処理を行う。また通信部１０３は、無線モデムの機能を有しており、ローカルな環境で携帯型端末１２０とアクセスする際にも利用される。
【００３４】
処理部１０４は、受信部１０６から受信したリモコン信号を処理し、信号処理部１０１、表示制御部１０２、通信部１０３および保持部１０５を制御する。また、処理部１０４は、ポータルサイトからコンテンツを受信する場合は、ポータルサイトに通信部１０３経由で上り信号を送信するとともに、ポータルサイトから通信部１０３経由で下り信号を受信し、所定の処理を行った後、ポータルサイトのコンテンツを表示制御部１０２経由でＴＶモニタ１１０に表示する。また、処理部１０４は、ＵＰｕＰ等の通信についても、通信部１０３経由で処理する。
【００３５】
保持部１０５は、放送受信端末１００が有する一意の識別子と管理サーバ１６０のＵＲＬを保持している。管理サーバ１６０のＵＲＬは、予め用意され、登録されている。
【００３６】
処理部１０４は、携帯型端末１２０から要求を受け取る。この要求は、放送受信端末１００が有する一意の識別子、および管理サーバ１６０のＵＲＬの送信の要求である。本明細書では、この送信要求をまとめて「第一送信要求」と呼ぶ。第一送信要求を受けると、処理部１０４は、保持部１０５から放送受信端末１００が有する一意の識別子と管理サーバ１６０のＵＲＬを受け取り、携帯型端末１２０に送信する。放送受信端末１００から携帯型端末１２０への通信は、放送受信端末１００に接続された無線モデム（図示せず）を用いて、ローカルな環境で行われる。これにより、携帯型端末１２０は、放送受信端末１００が有する一意の識別子と管理サーバ１６０のＵＲＬを受け取ることができる。
【００３７】
図３は、本実施形態に係る携帯型端末１２０の構成を示すブロック図である。
【００３８】
携帯型端末１２０は、表示部１２１、表示制御部１２２、入力部１２３、通信部１２４、処理部１２５および保持部１２６を備えている。
【００３９】
表示部１２１は、液晶や有機ＥＬ等のパネルを備え、表示制御部１２２の制御に基づき、種々のコンテンツを表示する。
【００４０】
表示制御部１２２は、処理部１２５からの指示に基づき、表示部１２１に表示する種々のコンテンツの表示を制御する。
【００４１】
入力部１２３は、例えば、キーボードやコマンド入力ボタンである。入力部１２３は、入力されたキー入力信号を処理部１２５に送信する。なお、表示部１２１と入力部１２３は一体であっても良く、表示部１２１にキーボードやコマンド入力釦を表示させてユーザに操作させても良い。
【００４２】
通信部１２４は、入力部１２３で入力されたキー入力信号に基づく処理部１２５からの指示を受け、各種信号および情報の送受信を行う。例えば、通信部１２４は、処理部１２５からの第一送信要求を放送受信端末１００に接続された無線モデム（図示せず）経由で放送受信端末１００に送信する。そして通信部１２４は、第一送信要求に対する放送受信端末１００からの応答として、放送受信端末１００が有する一意の識別子と管理サーバ１６０のＵＲＬを受信する。
【００４３】
また、通信部１２４は、処理部１２５からの、ポータルサイトのＵＲＬの送信の要求（第二送信要求）と、放送受信端末１００が有する一意の識別子とを、放送受信端末１００に接続された無線モデム（図示せず）経由で管理サーバ１６０に送信する。なお、ここでいうポータルサイトとは、識別子に関連付けられた放送受信端末１００が設置された地域に関するポータルサイトである。「放送受信端末１００が設置された地域」は一例である。何らかの基準で決定されたポータルサイトであればよい。
【００４４】
第二送信要求を受け取ると、管理サーバ１６０は該当するポータルサイトのＵＲＬを送信する。通信部１２４はそのＵＲＬを受信する。さらに、通信部１２４は、ポータルサイトのＵＲＬで提供される、ポータルサイトのコンテンツを受信する。このコンテンツは、処理部１２５がコンテンツの送信要求をポータルサイトに送ることにより、ポータルサイトから送信されたコンテンツである。
【００４５】
処理部１２５は、入力部１２３で入力されたキー入力信号に基づき、表示制御部１２２、通信部１２４および保持部１２６を制御する。例えば、処理部１２５は、入力部１２３で入力されたキー入力信号に基づき、第一送信要求を通信部１２４経由で放送受信端末１００に送信する。また処理部１２５は、放送受信端末１００から放送受信端末１００が有する一意の識別子と管理サーバ１６０のＵＲＬを通信部１２４経由で受信する。また、例えば、処理部１２５は、入力部１２３で入力されたキー入力信号に基づき、ポータルサイトのＵＲＬの送信要求（第二送信要求）と放送受信端末１００が有する一意の識別子を通信部１２４経由で管理サーバ１６０に送信する。処理部１２５は、管理サーバ１６０からポータルサイトのＵＲＬを通信部１２４経由で受信する。また、例えば、処理部１２５は、入力部１２３で入力されたキー入力信号に基づき、ポータルサイトのＵＲＬで提供されるコンテンツを通信部１２４経由で受信させ、表示制御部１２２を制御し、表示部１２１に表示させる。
【００４６】
保持部１２６は、処理部１２５が通信部１２４経由で受信した、放送受信端末１００が有する一意の識別子、管理サーバ１６０のＵＲＬおよびポータルサイトのＵＲＬを保持する。
【００４７】
図４は、放送受信端末１００および携帯型端末１２０（以下「端末１００、１２０」と記述する。）に共通するハードウェア構成図である。端末１００、１２０は、ＣＰＵ２と、メモリ３と、ＧＰＵ４と、通信インターフェース（Ｉ／Ｆ）５とを備えている。
【００４８】
ＣＰＵ２は、端末１００、１２０の全体の動作を制御する中央演算回路である。またＣＰＵ２は通信Ｉ／Ｆ５へ出力されるデータを生成し、通信Ｉ／Ｆ５から受信されたデータを処理する。ＣＰＵ２は、図２に示す信号処理部１０１および処理部１０４に対応し、図３に示す処理部１２５に対応する。
【００４９】
メモリ３は、ＲＡＭ、ＲＯＭ、フラッシュＲＯＭなどの、いわゆる記憶装置である。メモリ３には、コンピュータプログラム６が格納されている。コンピュータプログラム６はＣＰＵ２によって実行される。コンピュータプログラム６に含まれる命令コードに応じて、図４に示されるハードウェアが、放送受信端末１００として機能するか、携帯型端末１２０として機能するかが異なる。
【００５０】
たとえば、後述する図６の処理手順を実現するよう命令コードが記述されている場合には、図４に示すハードウェアは携帯型端末１２０として機能する。コンピュータプログラム６はＣＰＵ２に対し、通信部１２４等を利用して図６の各ステップを実行させる。一方、後述する図７の処理手順を実現するよう命令コードが記述されている場合には、図４に示すハードウェアは放送受信端末１００として機能する。コンピュータプログラム６はＣＰＵ２に対し、通信部１０３等を利用して図７の各ステップを実行させる。
【００５１】
端末１００、１２０は、１つの半導体回路にコンピュータプログラムを組み込んだＤＳＰ等のハードウェアを用いて実現されてもよい。
【００５２】
上述のコンピュータプログラム６は、ＣＤ−ＲＯＭ等の記録媒体に記録されて製品として市場に流通され、または、インターネット等の電気通信回線を通じて伝送され得る。
【００５３】
なお、図４ではメモリ３は１つしか設けられていないが、これは記載の便宜のためである。実際には、ＲＡＭ、ＲＯＭ、フラッシュＲＯＭなどが複数設けられ得る。メモリ３は、図２および図３に示す保持部１０５、１２６に対応する。
【００５４】
ＧＰＵ４は、映像処理回路である。表示される画像データを生成する。またＧＰＵ４は、生成した画像データを通信Ｉ／Ｆ５から出力し、画像の表示を制御する。ＧＰＵ４は、図２および図３の表示制御部１０２、１２２に対応する。
【００５５】
通信Ｉ／Ｆ５は、接続端子の総称である。通信Ｉ／Ｆ５として、たとえばリモコンの赤外線受光器、イーサネット（登録商標）端子、無線通信用アンテナ、ＨＤＭＩ端子、ＤＶＩ端子などが想定される。通信Ｉ／Ｆ５は、図２の通信部１０３、受信部１０６、表示制御部１０２とＴＶモニタ１１０とを接続する映像出力端子（たとえばＨＤＭＩ端子）に対応する。また通信Ｉ／Ｆ５は、図３の通信部１２４に対応する。
【００５６】
なお、図４には、携帯型端末１２０の表示部１２１は含まれていない。しかしながら、上述のように、表示部１２１は、たとえば液晶ディスプレイパネルや有機ＥＬパネルとして実装され得る。
【００５７】
図５（ａ）および（ｂ）は、本実施形態に係る管理サーバ１６０が保持するデータの構造を示す。なお、管理サーバ１６０もまた、図４に示すハードウェアを有している。図５（ａ）および（ｂ）に示すデータは、管理サーバ１６０のメモリ、たとえばフラッシュメモリ、ＲＯＭに保持されている。または、管理サーバ１６０は、ハードディスクドライブ（ＨＤＤ）などの図示されない記憶装置に当該データを保持していてもよい。
【００５８】
図５（ａ）は、各グループ番号と機器ＩＤとの対応関係を示している。放送局は、ユーザが放送サービスに加入すると、加入者情報に関連して、ユーザ宅に設置された放送受信端末の機器ＩＤ（放送受信端末が有する一意な識別子）を、地域毎にグループ分けして管理する。すなわち、各放送受信端末は、放送局の地域ごとにグループ分けされる。
【００５９】
図５（ａ）は、グループ番号と機器ＩＤとを対応付けたテーブルである。このテーブルに示されるように、機器ＩＤ＃１１、機器ＩＤ＃１２、・・・機器ＩＤ＃１Ｎのいずれかを有する放送受信端末は、グループ番号＃１にグループ分けされている。同様に、機器ＩＤ＃２１、機器ＩＤ＃２２、・・・機器ＩＤ＃２Ｎのいずれかを有する放送受信端末は、グループ番号＃２にグループ分けされている。以下、同様である。グループ番号は、放送受信端末が設置された地域に対応している。よってグループ番号は当該地域を示す情報と言うことができる。
【００６０】
図５（ｂ）は、各グループ番号とポータルサイトのＵＲＬとを対応付けたテーブルを示している。図５（ｂ）では、各グループ番号に割当てられる放送受信端末と携帯型端末とがそれぞれアクセスするポータルサイトのＵＲＬとが示されている。グループ番号＃１に割り当てられた放送受信端末がアクセスするＵＲＬは、ＵＲＬ（Ａ）＃１であり、携帯型端末がアクセスするＵＲＬは、ＵＲＬ（Ｂ）＃１である。ＵＲＬ（Ａ）＃１、ＵＲＬ（Ｂ）＃１はいずれもグループ番号＃１にグループ分けされた放送受信端末が設置されている地域のポータルサイトのコンテンツを提供するＵＲＬである。同様に、グループ番号＃２に割り当てられた放送受信端末がアクセスするＵＲＬは、ＵＲＬ（Ａ）＃２であり、携帯型端末がアクセスするＵＲＬは、ＵＲＬ（Ｂ）＃２である。以下、同様である。
【００６１】
なお、管理サーバ１６０は、現在通信している相手が放送受信端末１００であるか、携帯型端末１２０であるかを、たとえばアクセス要求に含まれるユーザ・エージェント情報を利用して判別することができる。ユーザ・エージェント情報は、ＨＴＴＰの要求中に、各ユーザーエージェントの識別名の文字列として含まれている。この文字列により、一般にアプリケーション名、バージョン、ホストオペレーティングシステム、言語等が特定される。管理サーバ１６０は、たとえばホストオペレーティングシステムにより、現在通信している相手が放送受信端末１００であるか、携帯型端末１２０であるかを特定する。または、運用上、要求を構成するコマンドを、放送受信端末１００と携帯型端末１２０とで区別してもよい。
【００６２】
あるグループ番号を割り当てられた放送受信端末がアクセスするＵＲＬと、あるグループ番号と同じグループ番号を割り当てられた携帯型端末がアクセスするＵＲＬを同一とし、機種情報をポータルサイトとやりとりして、機種に対応した表示を行うようにしても良い。また、携帯型端末がアクセスするＵＲＬを図５（ｂ）の場合はグループ番号ごとに１つとしたが、機種毎に設けても良い。
【００６３】
次に、図６〜図８を参照しながら、携帯型端末１２０の動作を説明する。携帯型端末１２０は、放送受信端末１００から一意な識別子と管理サーバ１６０のＵＲＬを受信し、受信した放送受信端末１００の識別子と管理サーバ１６０のＵＲＬを用いて、管理サーバ１６０からポータルサイトのＵＲＬを受信する。
【００６４】
図６は、本実施形態に係る携帯型端末１２０によるＵＲＬ取得処理を示すフローチャートである。
【００６５】
図７は、本実施形態に係る放送受信端末１００によるＵＲＬ取得応答処理を示すフローチャートである。
【００６６】
図８は、本実施形態に係る管理サーバ１６０によるＵＲＬ取得応答処理を示すフローチャートである。
【００６７】
まず図６を参照する。
【００６８】
携帯型端末１２０の処理部１２５は、入力部１２３から所定のキー入力信号を受けると、通信部１２４経由で、放送受信端末１００に、放送受信端末１００が有する機器ＩＤ（放送受信端末１００が有する一意の識別子）と管理サーバ１６０のＵＲＬの送信を要求する（第一送信要求）（ステップＳ５１）。
【００６９】
次に図７を参照する。放送受信端末１００は、携帯型端末１２０からの要求を受信する。放送受信端末１００の処理部１０４は、その要求が、第一送信要求であるか否かを判断する。すなわち処理部１０４は、その要求が、携帯型端末１２０からの機器ＩＤおよび管理サーバ１６０のＵＲＬの送信要求であるかを判断する（ステップＳ６１）。処理部１０４は、その要求が第一送信要求であると判断すると（ステップＳ６１でＹｅｓ）、保持部１０５から、機器ＩＤと管理サーバ１６０のＵＲＬを読み出して、接続された無線モデム（図示せず）経由で携帯型端末１２０に送信する（ステップＳ６２）。これにより、放送受信端末１００の処理は終了する。
【００７０】
再び図６を参照する。携帯型端末１２０の処理部１２５は、放送受信端末１００の機器ＩＤと管理サーバ１６０のＵＲＬを通信部１２４経由で取得する。その結果、ステップＳ５２の処理は「Ｙｅｓ」に進む。処理部１２５は、取得した放送受信端末１００の機器ＩＤと管理サーバ１６０のＵＲＬを保持部１２６に格納する（ステップＳ５３）。
【００７１】
処理部１２５は、取得した管理サーバ１６０のＵＲＬ宛に取得した機器ＩＤを通知し、管理サーバ１６０に機器ＩＤに関連付けられたポータルサイトのＵＲＬを送信するよう要求する（第二送信要求）（ステップＳ５４）。
【００７２】
ここで、後述する図８の処理を経て、処理部１２５が管理サーバ１６０から、携帯型端末１２０がアクセスするＵＲＬ（ポータルサイトのＵＲＬ）を取得すると（ステップＳ５５でＹｅｓ）、取得したＵＲＬを保持部１２６に格納する（ステップＳ５６）。
【００７３】
この後、処理部１２５は、管理サーバ１６０から取得したポータルサイトのＵＲＬ、上記の例ではＵＲＬ（Ｂ）＃１、にアクセスする。その結果、所望のポータルサイトのコンテンツがユーザに提供される。
【００７４】
次に図８を参照しながら、管理サーバ１６０の動作を説明する。
【００７５】
管理サーバ１６０は、携帯型端末１２０から要求を受け取ると、その要求が第二送信要求か否かを判断する。すなわち管理サーバ１６０は、その要求がポータルサイトのＵＲＬ送信要求かどうかを判断する（ステップＳ７１）。その要求がポータルサイトのＵＲＬ送信要求であった場合（ステップＳ７１でＹｅｓ）、放送受信端末１００の機器ＩＤも通知されていることになる。管理サーバ１６０は、保持するデータから通知された機器ＩＤを検索し、通知された機器ＩＤに割り当てられたグループ番号を検索する（ステップＳ７２）。具体的には、管理サーバ１６０は、図５（ａ）に示すデータから、通知された機器ＩＤに割り当てられたグループ番号を検索する。例えば、通知された機器ＩＤが機器ＩＤ＃１１の場合、管理サーバ１６０は、図５（ａ）に示すデータを検索し、グループ番号＃１を特定する。
【００７６】
一方、図５（ａ）に示すデータに通知された機器ＩＤがない場合および通知された機器ＩＤに割り当てられたグループ番号がない場合は、管理サーバ１６０は処理を終了する（ステップＳ７３のＮＯ）。
【００７７】
処理がステップＳ７３のＹｅｓに進むと、管理サーバ１６０は、割り当てられたグループ番号に属する携帯型端末１２０がアクセスするＵＲＬを検索する（ステップＳ７４）。具体的には、管理サーバ１６０は、図５（ｂ）に示すデータから、割り当てられたグループ番号に属する携帯型端末１２０がアクセスするＵＲＬを検索する。例えば、管理サーバ１６０は、割り当てられたグループ番号がグループ番号＃１の場合、図５（ｂ）に示すデータを検索する。これにより、携帯型端末１２０がアクセスするＵＲＬ（Ｂ）＃１を特定できる。処理はステップＳ７５でＹｅｓに進む。
【００７８】
一方、管理サーバ１６０は、図５（ｂ）に示すデータに、割り当てられたグループ番号＃１に携帯型端末１２０がアクセスするＵＲＬが登録されていない場合は処理を終了する（Ｓ７５でＮＯ）。このとき管理サーバ１６０は、該当するＵＲＬがないことを通知してもよい。
【００７９】
管理サーバ１６０は、割り当てられたグループ番号で携帯型端末１２０がアクセスするＵＲＬを特定できたときは、ポータルサイトのＵＲＬを携帯型端末１２０に送信する（ステップＳ７６）。
【００８０】
ポータルサイトのＵＲＬを取得すると、処理部１２５は、通信部１２４を介してそのＵＲＬに自動的にアクセスする。これにより、ユーザはポータルサイトのアドレスを自ら入力する必要はなくなる。
【００８１】
以上、本実施形態の携帯型端末および携帯型端末によるＵＲＬ受信方法によれば、ネットワークを介して接続される管理サーバおよび複数の放送受信端末から構成され、放送受信端末が有する一意な識別子と該識別子に関連付けられた放送受信端末が設置された地域のポータルサイトのＵＲＬを管理サーバが管理するシステムを用いて、放送受信端末から一意な識別子と管理サーバのＵＲＬを受信し、受信した放送受信端末の識別子と管理サーバのＵＲＬを用いて、管理サーバから放送受信端末の一意な識別子に関連付けられた放送受信端末が設置された地域のポータルサイトのＵＲＬを受信するので、ユーザによるポータルサイトのＵＲＬ入力や選択の手間を省くとともに、携帯型端末への負担を軽減しながら、放送受信端末が設置された地域のポータルサイトにアクセスすることが可能となる。
【００８２】
（実施形態２）
次に、本実施形態に係る双方向の放送サービスのシステム、放送受信端末および携帯型端末の構成、各々の処理について説明をする。
【００８３】
本実施形態に係るシステムが実施形態１に係るシステム１と異なる点は、管理サーバ１６０が保持するデータの構成、携帯型端末１２０によるＵＲＬ取得応答処理および管理サーバ１６０によるＵＲＬ取得応答処理である。これら以外の、双方向の放送サービスのシステム、放送受信端末１００および携帯型端末１２０の構成および放送受信端末１００によるＵＲＬ取得処理は実施形態１と同じである。それらについては参照符号を含めて実施形態１の説明を援用する。同じ内容については説明を省略する。
【００８４】
図９（ａ）および（ｂ）は、本実施形態に係る管理サーバ１６０が保持するデータの構成を示す。管理サーバ１６０は、図５（ａ）および（ｂ）に示すデータに加え、図９（ａ）および（ｂ）に示すデータを保持している。
【００８５】
管理サーバ１６０は、機器ＩＤ毎に設定情報を保持している。
【００８６】
図９（ａ）は、各機器ＩＤと設定情報とを対応付けたテーブルを示している。例えば、管理サーバ１６０は、機器ＩＤ＃１１に対して、設定情報＃１１を保持している。
【００８７】
図９（ｂ）は、管理サーバ１６０が保持する設定情報の一例を示す。設定情報とは、携帯型端末１２０がポータルサイトにアクセスして動作する際に用いられる情報である。設定情報は、各種機能の有効／無効や、各種機能の動作パラメータ等を含む。例えば、図９（ｂ）に示すように、Ａ機能の有無、Ｂ機能の有無や、動作パラメータＡ、動作パラメータＢ等のように構成される。各種機能の有無とは、例えば携帯型端末１２０がポータルサイトの情報を定期的に更新する定期アクセス機能の有無である。また、動作パラメータとは、例えば、上述の定期アクセス機能に関連して設定される、定期アクセスタイミングの間隔値である。設定情報は動作に必要となる情報であり、上記に限定するものではない。例えばリンク先のＵＲＬ等を設定情報に含めても良い。または、携帯型端末１２０からの放送受信端末１００の制御の可否、ユーザの契約プランを特定する情報を設定情報に含めてもよい。
【００８８】
図１０は、本実施形態に係る携帯型端末１２０によるＵＲＬ取得処理を示すフローチャートである。
【００８９】
図１１は、本実施形態に係る管理サーバ１６０によるＵＲＬ取得応答処理を示すフローチャートである。
【００９０】
なお、図１０および図１１において、図６および図８と同じ動作については、同じステップ番号を付し、説明を省略する。
【００９１】
まず図１０を参照する。携帯型端末１２０の処理部１２５は、ステップＳ５１〜Ｓ５３を実行する。この結果、処理部１２５は、放送受信端末１００から取得した管理サーバ１６０のＵＲＬ宛に、放送受信端末１００から取得した機器ＩＤを通知する。そして処理部１２５は、管理サーバ１６０に機器ＩＤに関連付けられたポータルサイトのＵＲＬと携帯型端末１２０の設定情報を送信するよう要求する（ステップＳ９１）。言い換えれば、処理部１２５は、第二送信要求とともに、設定情報の送信要求を管理サーバ１６０に送信する。なお、本明細書では、ポータルサイトのＵＲＬと携帯型端末１２０の設定情報の送信要求をまとめて「第三送信要求」と呼ぶ。
【００９２】
次に図１１を参照する。
【００９３】
管理サーバ１６０は、携帯型端末１２０からの要求が第三送信要求であるか否かを判断する（ステップＳ１０１）。携帯型端末１２０からの要求が第三送信要求であった場合（ステップ１０１でＹｅｓ）、管理サーバ１６０は、ステップＳ７２、ステップＳ７３およびステップＳ７４を行う。そしてステップＳ１０２において、管理サーバ１６０は、ＵＲＬおよび機器ＩＤに対応する設定情報が存在するか否かを判断する。
【００９４】
例えば、携帯型端末１２０から通知された機器ＩＤが機器ＩＤ＃１１である場合を考える。管理サーバ１６０は、図５（ａ）および（ｂ）に示すデータを検索し、機器ＩＤ＃１１に割り当てられたグループ番号＃１に属する携帯型端末１２０はアクセスするＵＲＬ（Ｂ）＃１を特定する。さらに管理サーバ１６０は、図９（ａ）に示すデータを検索する。そして管理サーバ１６０は、機器ＩＤ＃１１に対する設定情報＃１１を特定する。処理はステップＳ１０２のＹｅｓに進む。
【００９５】
管理サーバ１６０は、図５（ｂ）に示すデータに割り当てられたグループ番号＃１に携帯型端末１２０がアクセスするＵＲＬが登録されていない場合および機器ＩＤ＃１１に対する設定情報＃１１が登録されていない場合は処理を終了する（ステップＳ１０２でＮＯ）。
【００９６】
なお、管理サーバ１６０は、図５（ｂ）に示すデータに割り当てられたグループ番号＃１に携帯型端末１２０がアクセスするＵＲＬが登録されていれば、図９（ａ）に示すデータに機器ＩＤ＃１１に対する設定情報＃１１が登録されていない場合であっても、ステップＳ１０２でＹｅｓとし、ステップＳ１０３に進むことにしても良い。
【００９７】
管理サーバ１６０は、ポータルサイトのＵＲＬおよび機器ＩＤに対する設置情報を携帯型端末１２０に送信する（ステップＳ１０３）。機器ＩＤに対する設定情報が登録されていない場合にもステップＳ１０３に進んだ場合は、設定情報なしで、携帯型端末１２０にＵＲＬを送信する。
【００９８】
再び図１０を参照する。
【００９９】
携帯型端末１２０の処理部１２５は、管理サーバ１６０から携帯型端末１２０がアクセスするＵＲＬおよび機器ＩＤに対する設定情報を取得すると（ステップＳ９２でＹｅｓ）、携帯型端末１２０がアクセスするＵＲＬおよび機器ＩＤに対する設定情報を保持部１２６に格納する（ステップＳ９３）。
【０１００】
この後、携帯型端末１２０の処理部１２５は、管理サーバ１６０から取得した機器ＩＤに対する設定情報を用いて所定の設定を行う。その後、処理部１２５は、ポータルサイトのＵＲＬにアクセスし、所望のポータルサイトのコンテンツをユーザに提供する。
【０１０１】
以上、本発明の実施形態を説明した。上述の説明では、携帯型端末１２０が受信するポータルサイトのＵＲＬは、放送受信端末１００が設置された地域に関連しているとした。しかしながら、これは一例である。たとえば携帯型端末１２０が、ＧＰＳ機能を備えており、位置情報を提供できる場合には、その位置情報をさらに送信してもよい。この場合、サービス契約者の認証を受けるために携帯型端末１２０は放送受信端末１００にアクセスし、管理サーバ１６０のＵＲＬを受信する必要がある。しかしながら、管理サーバ１６０は、位置情報をさらに考慮して、その位置が属する地域のポータルサイトのＵＲＬを携帯型端末１２０に送信すればよい。
【０１０２】
また、他の変形例として、放送受信端末１００は現在選局中の番組を特定する情報（番組情報）を携帯型端末１２０に送信してもよい。携帯型端末１２０がその番組情報を管理サーバ１６０に送信すると、管理サーバ１６０は、その番組に関連した情報、たとえば地域紹介番組であればその地域のポータルサイトのＵＲＬを携帯型端末１２０に送信することができる。これによりユーザは、視聴中の番組に関連する情報を容易に、かつ確実に取得することができる。なお、送信する番組情報として、たとえばデジタル放送であれば、デジタル放送のストリームに含まれるサービス情報（ＳＩ）のイベントＩＤであってもよいし、番組のタイトルであってもよい。
【０１０３】
上述した本発明の実施形態に係る携帯型端末および放送受信端末によれば、ネットワークを介して接続される管理サーバおよび複数の放送受信端末から構成され、放送受信端末が有する一意な識別子と該識別子に関連付けられた放送受信端末が設置された地域のポータルサイトのＵＲＬを管理サーバが管理するシステムを用いて、放送受信端末から一意な識別子と管理サーバのＵＲＬを受信し、受信した放送受信端末の識別子と管理サーバのＵＲＬを用いて、管理サーバから放送受信端末の一意な識別子に関連付けられた放送受信端末が設置された地域のポータルサイトのＵＲＬおよび設定情報を受信する。これにより、ユーザによるポータルサイトのＵＲＬの入力や選択の手間を省くとともに、携帯型端末への負担を軽減しながら、放送受信端末が設置された地域のポータルサイトにアクセスすることが可能となる。さらに、受信した設定情報を用いてポータルサイトにアクセスする際に適切な設定を行うことができる。
【産業上の利用可能性】
【０１０４】
ネットワークを介して接続される管理サーバおよび複数の放送受信端末から構成されるシステムにおいて、放送受信端末が設置された地域のポータルサイトのアクセス先を携帯型端末が管理サーバから受信する技術として有用である。
【符号の説明】
【０１０５】
２  ＣＰＵ
３  メモリ
４  ＧＰＵ
５  通信インターフェース
６  コンピュータプログラム
１００    放送受信端末
１０１    信号処理部
１０２    表示制御部
１０３    通信部
１０４    処理部
１０５    保持部
１０６    受信部
１０７    リモコン
１１０    ＴＶモニタ
１２０    携帯型端末
１２１    表示部
１２２    表示制御部
１２３    入力部
１２４    通信部
１２５    処理部
１２６    保持部
１３０    放送設備
１５０    伝送路
１６０    管理サーバ
１７０    インターネット
１８０、１８１    無線アクセスポイント
１９０、１９１    ポータルサイト
【図１】
2013034169.tif 000003
【図２】
2013034169.tif 000004
【図３】
2013034169.tif 000005
【図４】
2013034169.tif 000006
【図５】
2013034169.tif 000007
【図６】
2013034169.tif 000008
【図７】
2013034169.tif 000009
【図８】
2013034169.tif 000010
【図９】
2013034169.tif 000011
【図１０】
2013034169.tif 000012
【図１１】
2013034169.tif 000013